(57)【要約】【課題】インターネットを通じて、屋上の緑化施工を企図するユーザーに対して当該緑化施工に関する情報を表示し、見積りも簡単に出来、また発注及び受注も出来る省エネタイプの、緑化施工のための情報提供システムを提供する。【解決手段】インターネットＡ上でＷｅｂページを開設し、当該Ｗｅｂページ上で情報を提供するシステムにおいて、情報管理センターＢで、建築物又は地表面の一定箇所を緑化施工するための各種の情報を集中制御管理し、インターネットＡを通じて上記開設したＷｅｂページ上でこれらの情報を表示し、ユーザーは、ＰＣを通じて当該Ｗｅｂページにアクセスし、当該Ｗｅｂページにおいて、ユーザーが緑化施工を望む箇所の各種条件を入力し、当該入力により当該箇所の緑化施工に関する具体的な情報の提供を受けられる。【選択図】図１
2005258615.tif 000002
【特許請求の範囲】
【請求項１】
インターネット上でＷｅｂページを開設し、当該Ｗｅｂページ上で情報を提供するシステムにおいて、
情報管理センターで、建築物又は地表面の一定箇所を緑化施工するための各種の情報を集中制御管理し、インターネットを通じて上記開設したＷｅｂページ上でこれらの情報を表示し、
ユーザーは、ＰＣを通じて当該Ｗｅｂページにアクセスし、当該Ｗｅｂページにおいて、ユーザーが緑化施工を望む箇所の各種条件を入力し、当該入力により当該箇所の緑化施工に関する具体的な情報の提供を受けられることを特徴とする、インターネットにおける緑化施工のための情報提供システム。
【請求項２】
上記インターネットにおける緑化施工のための情報提供システムにおいて、緑化施工に関する具体的な情報を提供し、さらにユーザーは当該緑化施工を発注し、上記情報管理センターではこれを受注することを特徴とする、上記請求項１に記載のインターネットにおける緑化施工のための情報提供システム。
【請求項３】
上記緑化施工において使用する植物を含むその他の設備は、リース販売の形態を採用することを特徴とする、上記請求項１又は２の何れかに記載のインターネットにおける緑化施工のための情報提供システム。
【請求項４】
インターネット上でＷｅｂページを開設し、当該Ｗｅｂページ上で情報を提供するシステムにおいて、
上記情報管理センターは、ＰＣを通じて上記Ｗｅｂページにアクセスし、当該Ｗｅｂページにおいて、上記請求項１乃至３の何れかに記載のインターネットにおける緑化施工のための情報提供システムによって、緑化施工された建築物又は地表面の一定箇所の植物の生育を遠隔管理制御することを特徴とする、インターネットにおける植物の生育の遠隔管理制御システム。
【請求項５】
上記インターネットにおける植物の生育の遠隔管理制御システムにおいて、
上記ユーザーは、ＰＣ又は携帯電話を通じて上記Ｗｅｂページにアクセスし、当該Ｗｅｂページにおいて、緑化施工された建築物又は地表面の一定箇所の植物の生育を遠隔管理制御することを特徴とする、上記請求項４に記載のインターネットにおける植物の生育の遠隔管理制御システム。
【発明の詳細な説明】
【技術分野】
【０００１】
この発明は、昨今、社会問題となっている都市部のヒートアイランド現象を解決するために有効と言われているビルや工場等の屋上緑化について、インターネットを通じて簡単に行える緑化施工のための情報提供システム及び当該システムにより施工された緑化設備の植物の生育の遠隔管理制御システムに関するものである。
【背景技術】
【０００２】
産業の発達やそれに伴う都市部での森林や緑化部分の急激な減少、人口の都市部への集中などにより、大都市部において、いわゆるヒートアイランド現象が社会問題となっている。このヒートアイランド現象とは、上記のことを原因として、人口排熱が増加して都市部の気温が郊外に比べ高くなり、等温線を引くと、都市部を中心とした島のように見える現象を言う。
【０００３】
この様なヒートアイランド現象が発生し、気温が上昇すると、熱中症等が起こり易く成り、人々の健康にも悪影響を招き、都市部の大気汚染物質の濃度も上昇し、また冷房の使用の増加によりエネルギー消費量も増加し、二酸化炭素の排出量も増加し、大きな環境破壊を興し、地球の温暖化を招く。この様なヒートアイランド現象を解決するために有効な手段として、真夏の日中にビルの屋上で植物を育成することは、構造物への蓄熱作用が減少すると同時に蒸散効果が得られ、気化熱によりビルの外壁や外気を冷却する効果が得られることから、東京都などは２００１年４月から条例を定めて、大規模ビルを新築や増改築した場合、当該ビルの屋上を人工的に緑化することを義務づけている。
【発明の開示】
【発明が解決しようとする課題】
【０００４】
しかしながら、ビルや工場等の屋上を緑化して維持することは、専門的な知識と技術を要し、素人が出来るものではなく、専門の業者に依頼することに成る。そして専門の業者に依頼する際には、当該業者と生育させる植物の種類や数量、施工後植物の生育を維持管理するために必要な設備の設置など各種の打ち合わせをし、その上で緑化施工の見積りを取り、実際の施工となる。また屋上を緑化施工してもそれらの植物の生育を維持管理するためには、専門的知識や経験を必要とし、素人が容易に出来るものではない。専門の業者に依頼した場合、生育のための維持管理だけでも高額の費用が必要となり、屋上の緑化施工を企図するユーザーの意欲を減退させる要因ともなる。
【０００５】
さらに緑化施工された植物の生育の維持管理に際して、ビルや工場等として施工前の消費エネルギーより多くのエネルギーを消費したのでは、屋上緑化を推進する制度趣旨にも反する。
【０００６】
そこでこの発明は、インターネットを通じて、屋上の緑化施工を企図するユーザーに対して当該緑化施工に関する情報を表示し、見積りも簡単に出来、また発注及び受注も出来、さらに緑化施工後の植物の生育の管理もインターネットによって集中管理出来る省エネタイプの、緑化施工のための情報提供システム及び当該システムにより施工された緑化設備の植物の生育の遠隔管理制御システムを提供して上記課題を解決するものである。
【課題を解決するための手段】
【０００７】
請求項１の発明は、インターネット上でＷｅｂページを開設し、当該Ｗｅｂページ上で情報を提供するシステムにおいて、情報管理センターで、建築物又は地表面の一定箇所を緑化施工するための各種の情報を集中制御管理し、インターネットを通じて上記開設したＷｅｂページ上でこれらの情報を表示し、  ユーザーは、ＰＣを通じて当該Ｗｅｂページにアクセスし、当該Ｗｅｂページにおいて、ユーザーが緑化施工を望む箇所の各種条件を入力し、当該入力により当該箇所の緑化施工に関する具体的な情報の提供を受けられるインターネットにおける緑化施工のための情報提供システムとした。
【０００８】
請求項２の発明は、上記インターネットにおける緑化施工のための情報提供システムにおいて、緑化施工に関する具体的な情報を提供し、さらにユーザーは当該緑化施工を発注し、情報管理センターではこれを受注する上記請求項１に記載のインターネットにおける緑化施工のための情報提供システムとした。また請求項３の発明は、上記緑化施工において使用する植物を含むその他の設備は、リース販売の形態を採用する上記請求項１又は２の何れかに記載のインターネットにおける緑化施工のための情報提供システムとした。
【０００９】
請求項４の発明は、インターネット上でＷｅｂページを開設し、当該Ｗｅｂページ上で情報を提供するシステムにおいて、上記情報管理センターは、ＰＣを通じて上記Ｗｅｂページにアクセスし、当該Ｗｅｂページにおいて、上記請求項１乃至３の何れかに記載のインターネットにおける緑化施工のための情報提供システムによって、緑化施工された建築物又は地表面の一定箇所の植物の生育を遠隔管理制御するインターネットにおける植物の生育の遠隔管理制御システムとした。また請求項５の発明は、上記インターネットにおける植物の生育の遠隔管理制御システムにおいて、上記ユーザーは、ＰＣ又は携帯電話を通じて上記Ｗｅｂページにアクセスし、当該Ｗｅｂページにおいて、緑化施工された建築物又は地表面の一定箇所の植物の生育を遠隔管理制御する上記請求項４に記載のインターネットにおける植物の生育の遠隔管理制御システムとした。
【発明の効果】
【００１０】
請求項１乃至３の各発明によれば、屋上緑化を望むユーザーにとって、インターネットを使用して、極めて簡単に屋上緑化に関する各種の情報を得ることが出来、屋上緑化の推進に役立つものである。また請求項２の発明は、さらに簡単に、ユーザーは屋上緑化の施工を発注し、情報管理センターではこれを受注することができる。さらに請求項３の発明によれば、屋上緑化設備をリース販売により行うので、季節貸しや期間貸し等の選択肢も広がり、またユーザーにかける経済的負担を極力減らすことが出来、さらに植物の生育状況が最良の時期のみ、屋上緑化に利用することもリース販売であるが故に可能である等、屋上緑化の推進に役立つものである。
【００１１】
請求項４及び５の各発明によれば、各地に散在する多数の緑化設備を情報管理センターで植物の生育を集中管理するので、植物の生育に対して高度の知識を持った一人の専門家が情報管理センターに居れば、多数の緑化設備に対し、当該専門家による個別の処置が必要な時に直ぐ受けられるので、各緑化設備における植物を極めて有効に生育することができる。以上の様に専門家に安心して緑化設備の生育を任せることが出来るほか、請求項５の発明によれば、ユーザーがＰＣや携帯電話を利用することにより、緑化設備の様子を見ることが出来、必要に応じて自身で水遣りなどの対応が出来る。
【発明を実施するための最良の形態】
【００１２】
インターネット上でＷｅｂページを開設し、このＷｅｂページ上で情報を提供するシステムにおいて、情報管理センターで、建築物又は地表面の一定箇所を緑化施工するための各種の情報を集中制御管理し、インターネットを通じて上記開設したＷｅｂページ上でこれらの情報を表示し、  ユーザーは、ＰＣを通じてこのＷｅｂページにアクセスし、このＷｅｂページにおいて、ユーザーが緑化施工を望む箇所の各種条件を入力し、この入力により当該箇所の緑化施工に関する具体的な情報の提供が受けられ、さらにユーザーは、この緑化施工を発注し、情報管理センターではこれを受注することとした。また緑化施工において使用する植物を含むその他の設備は、リース販売の形態を採用することとした。
【００１３】
またインターネット上でＷｅｂページを開設し、このＷｅｂページ上で情報を提供するシステムにおいて、情報管理センターは、ＰＣを通じて上記Ｗｅｂページにアクセスし、このＷｅｂページにおいて、上記システムにより緑化施工された建築物の屋上の植物の生育を遠隔管理制御する。またユーザーは、ＰＣや携帯電話を通じて上記Ｗｅｂページにアクセスし、このＷｅｂページにおいて、自身の緑化施工された建築物又は地表面の一定箇所の植物の生育を遠隔管理制御できることとした。
【実施例１】
【００１４】
以下、この発明の実施の形態例を図に基づいて説明する。
図１に示すのは、インターネットＡにおける緑化施工のための情報提供システム及びこの情報提供システムにより施工した緑化設備１の植物の生育の遠隔管理制御システムである。
まずインターネットＡにおける緑化施工のための情報提供システムについて説明する。少なくともＰＣ及びサーバを有した情報管理センターＢを設け、この情報管理センターＢにおいて、ユーザーが望む緑化場所（例えば、建築物の屋上や壁面など、以下同じ）、この緑化場所の面積、施工する緑化設備１としての形態（例えば、芝、セダム《植物の一種》、ビオトープ、貸し農園、ガーデニング、パターゴルフ、鉢物他、以下同じ）、使用する植物の種別、価格、リース期間、付帯する電源設備、電源設備制御部、潅水設備、潅水設備制御部、管理カメラ設備、管理カメラ設備サーバ、屋上利用自動受付設備、開錠施錠システム、現地メンテナンス、警備出動業務、建築物の条件、施工期間、見積もり金額などの各種の要素を項目ごとに集中制御管理する。
【００１５】
そしてインターネットＡ上でＷｅｂページを開設し、このＷｅｂページにおいて、上記緑化施工のための情報を表示し、また後述するユーザーが各種の条件を設定又は選択出来るものとする。
【００１６】
この情報管理センターＢのサーバは、主な構成としてＣＰＵ等の制御手段、入力制御手段、出力制御手段、記憶手段、演算手段から成り、入力制御手段や出力制御手段は、顧客のＰＣや情報管理センターＢにおいて入出力される情報を制御するものであり、記憶手段にはメインプログラムのほか各種のプログラムが記憶されており、演算手段では、ユーザーによって入力された各種の条件から施工期間を算出し、見積もり金額を算出する。
【００１７】
例えば、施工する緑化設備１の形態（例えば、芝、セダム、ビオトープ、貸し農園、ガーデニング、パターゴルフ、鉢物他）、使用する植物の種別、緑化設備に付帯する電源設備、電源設備制御部、潅水設備、潅水設備制御部、管理カメラ設備、管理カメラ設備サーバ、屋上利用自動受付設備、開錠施錠システムなど各種の具体的な設備を記憶するプログラム、選択された各種設備のリース期間、施工期間などから見積もり金額を計算するプログラムなどである。
【００１８】
この緑化施工のための情報提供システムの利用の方法を説明する。ユーザーは、ＰＣを使って、インターネットＡから情報管理センターＢのＷｅｂページにアクセスする。このＷｅｂページ上で表示された、ユーザーが望む緑化場所、この緑化場所の面積、緑化設備１の形態、使用する植物の種別、価格、リース期間、電源設備、電源設備制御部、潅水設備、潅水設備制御部、管理カメラ設備、管理カメラ設備サーバ、屋上利用自動受付設備、開錠施錠システム、現地メンテナンス、警備出動業務、建築物の条件などを夫々選択する。情報管理センターＢでは、このユーザーからの諸条件の選択から、施工期間、見積もり金額を算出する。
【００１９】
ユーザーは、表示された施工期間及び見積もり金額で良ければ、発注ボタンをクリックして発注する。この時、施工期間及び見積もり金額に不満があれば、再度条件を変えて再入力すれば良いし、最終的に満足いかなければ操作を中止すればよい。また施工される緑化設備１及び緑化設備１に付帯する設備は、リース販売によるものとする。
【００２０】
次にインターネットＡにおける植物の生育の遠隔管理制御システムについて説明する。この遠隔管理制御システムでは、上記緑化施工のための情報提供システムにより緑化施工された緑化設備１に対して、その後の植物の生育を遠隔管理制御する。まず情報管理センターＢのサーバにおいて、あらかじめ各地で施工された各緑化設備１のデータから各緑化設備１ごとのリストを作成し登録する。
【００２１】
上記各緑化設備１には、各種の緑化設備１に付帯する電源設備、電源設備制御部、潅水設備、潅水設備制御部、管理カメラ設備、管理カメラ設備サーバ、屋上利用自動受付設備、開錠施錠システムなど各種の具体的な設備が設けられており、これらの各種の設備と情報管理センターＢとは、インターネット上で開設されたＷｅｂページを通して、ＰＣによって夫々接続され、情報管理センターＢから遠隔操作できるようになっている。
【００２２】
図２は、ビルの横長の長方形状の屋上に緑化設備１を施工した状態を示し、基台であるブロックの上面に芝を植えつけたブロック式芝１ａを多数敷き詰めて薄層緑化したものである。この屋上の上左及び下右の位置に当該屋上に上がる階段室２があり、これらの階段室２の側壁の位置から略中央に向けて管理カメラ３を２台設置しており、管理カメラ３の上には風力発電のためのプロペラを夫々設けている（図示省略）。
【００２３】
この屋上の上側の縁に沿って、保水ブロック４を積み重ねてバイオ水処理装置５（２基）、高圧受電設備６、高架水槽７を設けており、同様に左側から下側の縁に沿って、冷却水用ポンプ８（２台）、クーリングタワー９（２台）、ラジエーター１０（３台）を保水ブロック４を積み重ねて設けている。またこの緑化設備１のやや中央には、およそ６０台の太陽光発電を行う太陽光パネル１１を設置しており、これらの太陽光パネル１１の周囲を囲むように一方のバイオ水処理装置５から他方のバイオ水処理装置５に戻るかたちの水路１２を設け、水を流している。さらに敷き詰められたブロック式芝１内において適当な間隔で散水スプリンクラー１３を設けており、また温度センサー１４、湿度センサー１５、ＰＨセンサー１６を設けている。またこの屋上の上左側の位置に中木、低木の樹木１７を数本づつ植樹している。
【００２４】
植物の蒸散効果を最大限に利用するためには、蒸散効果の高い植物を育成しなければならないが、そのためには、大量の水遣りが必要となるが、大量の水遣りを補う為に日中の蒸散効果を高めるために保水ブロック４を使用し、屋上において部分的この保水ブロック４を敷き詰め、この保水ブロック４の内部に一時水を蓄えるようにしている。そして屋上に設置されているバイオ水処理装置５、高圧受電設備６、高架水槽７、冷却水用ポンプ８、クーリングタワー９、ラジエーター１０の設置台として、またこれらの機器の上面や側面など周囲にも保水ブロック４を使用しており、これらの箇所にも絨毯状に設けられた芝を用いて薄層緑化を施している。
【００２５】
真夏の日中は、保水ブロック４と植物の蒸散効果を最大限利用することでビルから気化熱を奪い、ビルの省エネルギー効率を高めるために、屋上に設けられた緑化設備１の植物の、水遣りなどの保守を確実に行うことが必要であり、そのためにこの植物の生育の遠隔管理制御システムでは、情報管理センターＢにおいて、常時、植物の専門家が各緑化設備１の植物の状況、例えば、植物の葉の色や大きさなどを管理カメラ３で見て、また各緑化設備１における温度、湿度及びＰＨなどを確認して各緑化設備１ごとに管理しており、情報管理センターにおける操作により水遣り、肥料や薬剤の散布、保水ブロック４への給水などの必要な処置が随時取れるようになっている。これらの肥料や薬剤の散布等も上記散水スプリンクラー１３によって行なうことが出来る。
【００２６】
さらにビルからの排熱を抑える為、ビルの省エネルギーを進めるために電気や水の省エネルギーも同時に行わなければならない。そのために植物への水遣りの水は、雨水や生活排水を利用する。水遣りのポンプや植物の生育管理のための機器などの電源は、太陽光発電や小型風力発電によって発電した電気エネルギーを利用する。
【００２７】
ビル内のトイレ１８、シャワー１９、給湯室２０等から排出された生活排水及び雨水の利用については、図３に示す様に、バチルス・ナットウ（納豆の発酵菌）を使用したバイオ水処理装置５（商標名『バイオリアクター』）により浄化して中水として利用する。
【００２８】
また上記太陽光発電は、太陽の動き、地域状況、気象情報などを総合して対応するように制御されている。この制御の設定、変更、解除も全て情報管理センターＢで出来るようになっている。ここでは、図４に示す様に、太陽光パネル１１を支えるネック部の駆動モータ１１ａとして、JAEGER INDUSTRIAL CO.,LTD社製「GEOTRACK SG107」（直流モータ３６Ｖ、方位角度１８０度移動可、仰角１５度〜７５度移動可）を使用しており、太陽の位置を追うように設けており、例えば、太陽光パネル１１が隣接するビルの影に入った場合なども、当該太陽光パネル１１が移動して太陽の光が当る位置に移動する様になっている。また太陽光パネル１１の動きについては、情報管理センターＢによる制御の他に、太陽光パネル１１のすぐ近くに設けられた太陽の動きを追跡するセンサーにより、自動制御するものとしても良い。
【００２９】
さらに基本的には、緑化設備における各種の操作は情報管理センターＢにおいて行われるものであるが、場合によっては、ユーザー自身もＰＣや携帯電話を使用して、自身の緑化設備１の状況を管理カメラ３を通して見ることが出来、さらに水遣り、肥料や薬剤の散布などが必要な場合は、情報管理センターＢと同じ様にそれらの設備の操作も出来るようになっている。また緑化設備や防犯面での異常発生時には、情報管理センターやユーザーのＰＣ又は携帯電話への連絡、及び警備会社からの警備員の派遣もできる。
【００３０】
なお上記実施例では、緑化施工をビルの屋上に施しているが、緑化施工の場所は、ビルの屋上に限るものではなく、他の建築物、例えば、工場の屋上、さらにはアスファルト、コンクリートブロック、各種石材又はレンガなどで整備された都市の歩道や地表面に施工しても良い。また緑化施工について薄層緑化による場合を中心に説明しているが、緑化施工は、薄層緑化に限るものではない。さらに緑化設備１として、形態、使用する植物の種別、付帯する電源設備などを具体的に記載し、またビルの屋上などに設置されるビル設備機器、プラント機器類として高圧受電設備６、高架水槽７、冷却水用ポンプ８、クーリングタワー９、ラジエーター１０などを記載しているが、緑化設備１、ビル設備機器やプラント機器類等としては、これらの設備に限定するものではない。また施工される緑化設備１及び緑化設備１に付帯する設備を提供する形態としてリース販売によるものとしているが、必ずしもリース販売に限定するものではなく、一般的な買取りなどの販売形態、レンタルなど、ユーザーの希望により選択できるものとする。
【図面の簡単な説明】
【００３１】
【図１】この発明の実施例のインターネットにおける緑化施工のための情報提供システム及びこの情報提供システムにより緑化施工した植物の生育の遠隔管理制御システムのイメージを示す説明図である。
【図２】この発明の実施例のインターネットにおける緑化施工のための情報提供システムにより緑化施工され、遠隔管理制御システムによって植物の生育が遠隔管理制御されている状態を示す説明図である。
【図３】この発明の実施例の緑化状況の遠隔管理制御システムにおいて使用されているバイオリアクターを示す説明図である。
【図４】この発明の実施例の緑化状況の遠隔管理制御システムにおいて使用されている太陽光パネルが太陽の位置に従って移動する様子を示す説明図である。
【符号の説明】
【００３２】
Ａ      緑化設備                Ｂ      情報管理センター
１      緑化設備                ２      ビルの屋上に設けられた階段室
３      管理カメラ              ４      保水ブロック
５      バイオ水処理装置        ６      高圧受電設備
７      高架水槽                ８      冷却水用ポンプ
９      クーリングタワー      １０      ラジエーター
１１      太陽光パネル          １２      水路
１３      散水スプリンクラー    １４      温度センサー
１５      湿度センサー          １６      ＰＨセンサー
１７      樹木                  １８      トイレ
１９      シャワー              ２０      給湯室
【図１】
2005258615.tif 000003
【図２】
2005258615.tif 000004
【図３】
2005258615.tif 000005
【図４】
2005258615.tif 000006